(57)【特許請求の範囲】
【請求項１】
エンジンに発電機および圧縮機を連動連結した発電機能付きエンジン駆動式ヒートポンプ装置を複数台備えるとともに、少なくとも１台の発電機能付きエンジン駆動式ヒートポンプ装置には、エンジン排熱を回収する排熱回収装置を介して高温の湯を蓄える貯湯タンクを接続し、かつ、
膨張弁と室内側熱交換器とを備えて前記圧縮機に接続される冷媒回路と、
商用電源に接続されるとともに前記発電機の発電電力を供給可能な電力負荷と、
前記商用電源から受ける電力を計測する受電電力計測手段と、
前記受電電力計測手段で計測された電力を所定時間分積算して受電電力量を算出する受電電力量算出手段と、
前記受電電力量算出手段で算出された受電電力量の経時的変化に基づいて、次の受電電力量を算出予測する受電電力量予測手段と、
前記受電電力量予測手段で算出予測された受電電力量と設定電力量とを比較して、予測受電電力量が設定電力量を超えると判断したときにデマンド信号を出力する電力量比較手段と、
前記貯湯タンクに付設されて前記貯湯タンク内の熱量が貯湯可能最大熱量に達したことを感知する最大熱量感知手段と、
すべての前記発電機能付きエンジン駆動式ヒートポンプ装置に対して空調運転要求が無い場合で前記電力量比較手段からデマンド信号が出力されたときに、そのデマンド信号に応答して前記最大熱量感知手段で感知される熱量が貯湯可能最大熱量であるかどうかを判別し、感知熱量が貯湯可能最大熱量に達していないときには貯湯信号を出力する熱量判別手段と、
前記貯湯信号に応答して前記貯湯タンクが接続された発電機能付きエンジン駆動式ヒートポンプ装置に起動信号を出力してエンジンおよび発電機を優先駆動する貯湯優先制御手段と、
を備えていることを特徴とする発電・空調システム。
【請求項２】
請求項１に記載の発電・空調システムにおいて、
各発電機能付きエンジン駆動式ヒートポンプ装置に設けられて総運転時間を計測する総運転時間計測手段と、
前記総運転時間計測手段で計測された総運転時間の少ないものを優先して選択する総運転時間選択手段と、
熱量判別手段からの貯湯信号の出力が無いときに、デマンド信号に応答して前記総運転時間選択手段で選択された前記発電機能付きエンジン駆動式ヒートポンプ装置に起動信号を出力してエンジンおよび発電機を駆動する発電制御手段と、
を備えてある発電・空調システム。
【発明の詳細な説明】
【技術分野】
【０００１】
本発明は、エンジンに発電機および圧縮機を連動連結した発電機能付きエンジン駆動式ヒートポンプ装置と、膨張弁と室内側熱交換器とを備えて圧縮機に接続される冷媒回路と、商用電源に接続される電力負荷とを備え、発電機の発電電力を電力負荷に供給可能に構成した発電・空調システムに関する。
【背景技術】
【０００２】
従来、上述のような発電機能付きエンジン駆動式ヒートポンプ装置を用いた空気調和装置として、次のようなものがあった。
ガスエンジンにより圧縮機を駆動し、圧縮機によって圧縮したガス冷媒を空気熱交換器に送り、冷房や暖房を行えるように構成されている。また、ガスエンジンによって発電機を駆動するとともに、ガスエンジンからの排熱をエンジン冷却水で回収し、その回収した高温のエンジン冷却水を給湯装置の貯水槽に供給し、お湯を作るとともに、そのお湯を貯水槽に貯めるように構成されている。
これにより、発電機で作り出された電気エネルギーを電灯やコンセントなどの負荷として消費し、商用電源の消費電力量を低減できるようになっている（特許文献１参照）。
【０００３】
また、オフィスビルやスーパーや店舗ビルなどの大口需要家では、３０分間などの一定時間内の使用電力である課金用受電電力量、いわゆるデマンドに基づいて１年間の基本料金が決定される。このため、デマンドを超えないように、発電機能付きエンジン駆動式ヒートポンプ装置を用い、商用電源から受ける受電電力量の経時的変化に基づいて、次の受電電力量を算出予測し、その算出予測された受電電力量と、設定電力量とを比較して予測受電電力量が設定電力量を超えると判断したときに、発電機能付きエンジン駆動式ヒートポンプ装置に起動信号を出力し、予測受電電力量が設定電力量を超えないように発電機を駆動するように構成されているものが知られている。
【特許文献１】特開２００５−３７００８号公報
【発明の開示】
【発明が解決しようとする課題】
【０００４】
しかしながら、前述のような公報例の場合、デマンドを超えないように制御することについては、何ら考慮されていないものであった。
【０００５】
一方、発電機能付きエンジン駆動式ヒートポンプ装置を用いる場合、冷房需要が高い夏期や暖房需要が高い冬期など、空調負荷が高くなるときには、発電機能付きエンジン駆動式ヒートポンプ装置によって空調負荷を負担でき、商用電源からの電力需要に対するピークカットに対処できる利点を有し、更に、発電機の駆動により、デマンドを超えないような制御にも対処できる。
【０００６】
ところが、発電機能付きエンジン駆動式ヒートポンプ装置では、空調運転を行っている場合には、冷媒回路の冷媒の加熱などにエンジン排熱を利用できるものの、空調運転要求が無くてデマンドを超えないように発電機だけを駆動している場合、エンジン排熱を回収できない欠点があった。
【０００７】
本発明は、このような事情に鑑みてなされたものであって、請求項１に係る発明は、空調運転要求が無くてデマンドを超えないように制御する場合に、エンジン排熱を極力回収して熱エネルギー面での経済性を良好に向上できるようにすることを目的とし、請求項２に係る発明は、ランニングコストを低減して経済性を良好に向上できるようにすることを目的とする。
【課題を解決するための手段】
【０００８】
請求項１に係る発明の発電・空調システムは、上述のような目的を達成するために、
エンジンに発電機および圧縮機を連動連結した発電機能付きエンジン駆動式ヒートポンプ装置を複数台備えるとともに、少なくとも１台の発電機能付きエンジン駆動式ヒートポンプ装置には、エンジン排熱を回収する排熱回収装置を介して高温の湯を蓄える貯湯タンクを接続し、かつ、
膨張弁と室内側熱交換器とを備えて前記圧縮機に接続される冷媒回路と、
商用電源に接続されるとともに前記発電機の発電電力を供給可能な電力負荷と、
前記商用電源から受ける電力を計測する受電電力計測手段と、
前記受電電力計測手段で計測された電力を所定時間分積算して受電電力量を算出する受電電力量算出手段と、
前記受電電力量算出手段で算出された受電電力量の経時的変化に基づいて、次の受電電力量を算出予測する受電電力量予測手段と、
前記受電電力量予測手段で算出予測された受電電力量と設定電力量とを比較して、予測受電電力量が設定電力量を超えると判断したときにデマンド信号を出力する電力量比較手段と、
前記貯湯タンクに付設されて前記貯湯タンク内の熱量が貯湯可能最大熱量に達したことを感知する最大熱量感知手段と、
すべての前記発電機能付きエンジン駆動式ヒートポンプ装置に対して空調運転要求が無い場合で前記電力量比較手段からデマンド信号が出力されたときに、そのデマンド信号に応答して前記最大熱量感知手段で感知される熱量が貯湯可能最大熱量であるかどうかを判別し、感知熱量が貯湯可能最大熱量に達していないときには貯湯信号を出力する熱量判別手段と、
前記貯湯信号に応答して前記貯湯タンクが接続された発電機能付きエンジン駆動式ヒートポンプ装置に起動信号を出力してエンジンおよび発電機を優先駆動する貯湯優先制御手段とを備えて構成する。
【０００９】
（作用・効果）
請求項１に係る発明の発電・空調システムの構成によれば、中間期などとか、オフィスビルで休日や夜間であるなど空調運転を必要としない場合、すなわち、すべての発電機能付きエンジン駆動式ヒートポンプ装置に対する空調運転要求が無い場合において、商用電源からの受電電力量が設定電力量を超えると予測されるときに、貯湯タンク内の熱量が貯湯可能最大熱量より少ないときには貯湯信号を出力して貯湯タンクを接続した発電機能付きエンジン駆動式ヒートポンプ装置のエンジンおよび発電機を優先駆動し、そのエンジン排熱を貯湯タンクに回収しながら受電電力量の増加を抑えることができる。
したがって、空調運転要求が無い場合に設定電力量を超えると予測されるときに、貯湯可能である場合には、貯湯タンクを接続した発電機能付きエンジン駆動式ヒートポンプ装置の発電機を優先して駆動し、発生するエンジン排熱を貯湯タンクに回収するから、空調運転要求が無くてデマンドを超えないように制御する場合に、エンジン排熱を極力回収して熱エネルギー面での経済性を向上できる。
【００１０】
また、請求項２に係る発明は、前述のような目的を達成するために、
請求項１に記載の発電・空調システムにおいて、
各発電機能付きエンジン駆動式ヒートポンプ装置に設けられて総運転時間を計測する総運転時間計測手段と、
前記総運転時間計測手段で計測された総運転時間の少ないものを優先して選択する総運転時間選択手段と、
熱量判別手段からの貯湯信号の出力が無いときに、デマンド信号に応答して前記総運転時間選択手段で選択された前記発電機能付きエンジン駆動式ヒートポンプ装置に起動信号を出力してエンジンおよび発電機を駆動する発電制御手段とを備えて構成する。
【００１１】
（作用・効果）
請求項２に係る発明の発電・空調システムの構成によれば、貯湯タンク内の熱量が貯湯可能最大熱量に達した後においては、総運転時間の少ない発電機能付きエンジン駆動式ヒートポンプ装置を優先的に起動してエンジンおよび発電機を駆動し、受電電力量の増加を抑える。
したがって、複数の発電機能付きエンジン駆動式ヒートポンプ装置の総運転時間を平準化でき、運転時間に基づいてメンテナンスを行う場合に、複数の発電機能付きエンジン駆動式ヒートポンプ装置に対するメンテナンスを一度に行うことができ、ランニングコストを低減できて経済性を良好に向上できる。
【発明の効果】
【００１２】
請求項１に係る発明の発電・空調システムの構成によれば、中間期などとか、オフィスビルで休日や夜間であるなど空調運転を必要としない場合、すなわち、発電機能付きエンジン駆動式ヒートポンプ装置に対する空調運転要求が無い場合において、商用電源からの受電電力量が設定電力量を超えると予測されるときに、貯湯タンク内の熱量が貯湯可能最大熱量より少ないときには貯湯信号を出力して貯湯タンクを接続した発電機能付きエンジン駆動式ヒートポンプ装置のエンジンおよび発電機を優先駆動し、そのエンジン排熱を貯湯タンクに回収しながら受電電力量の増加を抑えることができる。
したがって、空調運転要求が無い場合に設定電力量を超えると予測されるときに、貯湯可能である場合には、貯湯タンクを接続した発電機能付きエンジン駆動式ヒートポンプ装置の発電機を優先して駆動し、発生するエンジン排熱を貯湯タンクに回収するから、空調運転要求が無くてデマンドを超えないように制御する場合に、エンジン排熱を極力回収して熱エネルギー面での経済性を向上できる。
【発明を実施するための最良の形態】
【００１３】
次に、本発明の実施例を図面に基づいて詳細に説明する。
【００１４】
図１は、本発明に係る発電・空調システムの実施例を示す概略構成図であり、オフィスビルやテナントビルなどの建物に４台の発電機能付きエンジン駆動式ヒートポンプ装置１と、後述するように貯湯タンク２５を接続分離可能に接続した１台の発電機能付きエンジン駆動式ヒートポンプ装置２とが設置されている。
発電機能付きエンジン駆動式ヒートポンプ装置１は、図２の正面図に示すように、エンジン３の出力軸４の一方に発電クラッチ５を介して発電機６を連動連結するとともに、出力軸４の他方に、ベルト式伝動機構７、圧縮機用変速機構８および空調クラッチ９を介して圧縮機１０を連動連結して構成されている。発電機能付きエンジン駆動式ヒートポンプ装置２も、後述する排熱回収構成を除いた部分は同様に構成されている。
【００１５】
エンジンハウジング１１に冷却用ファン１２が設けられ、そのファンモータ１３と冷却水ポンプ１４に発電機６からの直流電力をコンバータ１５およびインバータ１６を介して交流電力に変換して供給するように構成されている。
また、インバータ１６および受変電設備１７を介して、交流電力に変換された発電機６からの発電電力を建物内の照明などの電力負荷に供給できるように構成されている。受変電設備１７には、照明などの電力を賄うために、電力線１８を介して商用電源を供給するように構成されている。
【００１６】
圧縮機１０には冷媒回路１９が接続され（室外側熱交換器や四路切換弁などの詳細は省略している）、その冷媒回路１９に、建物内に設置された室内側熱交換器２０および膨張弁２１が設けられ、都市ガスを燃料としてエンジン３により圧縮機１０を駆動し、各階などに対応させて、冷房や暖房を行えるように構成されている。
【００１７】
発電機能付きエンジン駆動式ヒートポンプ装置２において、図１に示すように、エンジン３に、冷却水ポンプ２２を介装した冷却水循環配管２３が接続され、その冷却水循環配管２３に排熱回収装置としての熱交換器２４が介装されている。熱交換器２４には、貯湯タンク２５の下部から上部にわたって接続された、給水ポンプ２６を介装した高温水供給配管２７が挿通され、エンジン排熱を高温の湯として回収し、その回収した湯を貯湯タンク２５に貯めるように構成されている。
【００１８】
図示しないが、循環配管２７の熱交換器２４の出口箇所に温度センサが設けられ、その温度センサによって測定される湯の温度が設定温度に維持されるように給水ポンプ２６の流量を制御し、貯湯タンク２５の上部から、設定温度の高温層を形成しながら、すなわち、温度成層を形成する状態で湯を貯めるように構成されている。
【００１９】
貯湯タンク２５の上部側に第１の温度センサ２８が設けられるとともに、下部側に最大熱量感知手段としての第２の温度センサ２９が設けられている。図３の貯湯制御系のブロック図に示すように、第１および第２の温度センサ２８，２９にコントローラ３０が接続されるとともに、そのコントローラ３０に、貯湯タンク２５を接続した発電機能付きエンジン駆動式ヒートポンプ装置２のエンジン制御部に備えられている発電クラッチ５やエンジン３の起動スイッチ３１が接続されている。
【００２０】
コントローラ３０には、エンジン停止手段３２およびエンジン起動手段３３が備えられている。
エンジン起動手段３２では、第１の温度センサ２８で設定温度（例えば、４０℃）などの温度を感知するに伴い、貯湯タンク２５内の湯が所定量以下になった、すなわち、貯湯量不足と判断し、エンジン起動信号を出力し、エンジン３の起動スイッチ３１を入れてエンジン３を起動するとともに発電クラッチ５を入れて発電を開始するようになっている。
また、エンジン停止手段３３では、第２の温度センサ２９で設定温度（例えば、７０℃）などの温度を感知するに伴い、貯湯タンク２５内に所定量の湯が満たされた、すなわち、貯湯可能最大熱量に達したと判断し、エンジン停止信号を出力し、エンジン３の起動スイッチ３１を切ってエンジン３を停止するとともに発電クラッチ５を切って発電を停止するようになっている。
【００２１】
受変電設備１７において、図４の発電制御系のブロック図に示すように、商用電源から受ける電力を計測する受電電力計測手段３４が備えられている。
第２の温度センサ２９および受電電力計測手段３４にマイクロコンピュータ３５が接続され、そのマイクロコンピュータ３５に、３０分ごとにリセットされるタイマ３６と、発電機能付きエンジン駆動式ヒートポンプ装置１，２それぞれに対する空調運転スイッチ３７（ここでは、１個で示す）と、発電機能付きエンジン駆動式ヒートポンプ装置１，２が接続されている。
【００２２】
マイクロコンピュータ３５には、受電電力量算出手段３８、受電電力量予測手段３９、電力量比較手段４０、空調運転要求判別手段４１、熱量判別手段４２、貯湯優先制御手段４３、総運転時間選択手段４４および発電制御手段４５が備えられている。
【００２３】
受電電力量算出手段３８では、受電電力計測手段３４で計測された電力をタイマ３６によって設定される所定時間（３０分）積算して設定時間における受電電力量を算出するようになっている。
受電電力量予測手段３９では、受電電力計測手段３４で計測された電力を、例えば、１分間ごとに受電電力量算出手段３８で積算して求められる受電電力量の経時的変化に基づいて、設定時間内の受電電力量を算出予測するようになっている。一例を示せば、設定時間内において、１０分経過後、次の１分間の受電電力量の２０倍分を、１０分間の受電電力量に加算するといったようにして、今回の設定時間経過後における受電電力量、すなわち、次の受電電力量を算出予測するようになっている。この次の受電電力量を算出予測する手法としては、各種の形態が採用できる。
【００２４】
電力量比較手段４０では、受電電力量予測手段３９で算出予測された受電電力量と、設定電力量（通常、契約の基準となった電力量より小さい電力量が設定されるが、空調機器やコンピュータの増設などにより、契約電力量の増加が見込まれる場合には、契約の基準となった電力量より大きい電力量が設定される場合もある）とを比較して予測受電電力量が設定電力量を超えると判断したときにデマンド信号を出力するようになっている。
【００２５】
空調運転要求判別手段４１では、発電機能付きエンジン駆動式ヒートポンプ装置１，２それぞれに対する空調運転スイッチ３７が入り状態にあるか切り状態にあるか、すなわち、空調運転要求があるかどうかに基づいて、すべての発電機能付きエンジン駆動式ヒートポンプ装置１，２に対して空調運転要求が無い場合に空調不要求信号を出力するようになっている。
【００２６】
熱量判別手段４２では、空調運転要求判別手段４１からの空調不要求信号に応答して、すなわち、すべての発電機能付きエンジン駆動式ヒートポンプ装置１，２に対する空調運転要求が無い場合に、電力量比較手段４０からのデマンド信号に応答して第２の温度センサ２９からの信号に基づいて貯湯タンク２５内の熱量が貯湯可能最大熱量に達しているかどうかを判別し、感知熱量が貯湯可能最大熱量より少ないときには貯湯信号を出力し、貯湯可能最大熱量に達しているときには貯湯信号を出力しないようになっている。
【００２７】
貯湯優先制御手段４３では、熱量判別手段４２からの貯湯信号に応答して、貯湯タンク２５を接続した発電機能付きエンジン駆動式ヒートポンプ装置２に起動信号を出力し、起動スイッチ３１を入れてエンジン３を駆動するとともに発電機６を駆動するようになっている。一方、熱量判別手段４２から貯湯信号が出力されないときには、発電制御手段４５に発電信号を出力するようになっている。
【００２８】
総運転時間選択手段４４では、エンジン制御部に備えられている、エンジン３の総運転時間を計測する総運転時間計測手段４６から入力されるデータに基づき、総運転時間計測手段４６で計測された総運転時間の少ない発電機能付きエンジン駆動式ヒートポンプ装置１，２を優先して選択するようになっている。
【００２９】
発電制御手段４５では、熱量判別手段４２から貯湯信号が出力されていないときに電力量比較手段４０からデマンド信号が出力されたときに、そのデマンド信号に応答し、総運転時間選択手段４４で選択された発電機能付きエンジン駆動式ヒートポンプ装置１または２に起動信号を出力して起動スイッチ３１を入れてエンジン３を駆動するとともに発電機６を駆動するようになっている。
【００３０】
上記構成により、すべての発電機能付きエンジン駆動式ヒートポンプ装置１，２に対して空調運転要求が無い状態で電力量比較手段４０からデマンド信号が出力された場合に、発電機能付きエンジン駆動式ヒートポンプ装置１，２の駆動を制御して受電電力量の増加を抑制できるようになっており、次に説明する。
電力量比較手段４０において予測受電電力量が設定電力量を超えると判断してデマンド信号が出力されるに伴い、デマンド信号を熱量判別手段４２に出力する。
【００３１】
ここで、熱量判別手段４２において、空調運転要求判別手段４１から空調不要求信号が出力されているかどうかを判別する。また、第２の温度センサ２９からのデータ入力により、貯湯タンク２５内の熱量が貯湯可能最大熱量に達したことを感知しているかどうかを判別する。これらの結果に基づき、空調運転要求判別手段４１から空調不要求信号が出力されるとともに、電力量比較手段４０からデマンド信号が出力され、かつ、貯湯タンク２５内の熱量が貯湯可能最大熱量に達したことを感知していない場合に、熱量判別手段４２から貯湯信号を貯湯優先制御手段４３に出力させる。
【００３２】
その熱量判別手段４２からの貯湯信号に応答して、貯湯優先制御手段４３から、貯湯タンク２５が接続された発電機能付きエンジン駆動式ヒートポンプ装置２に起動信号を出力してエンジン３および発電機６を優先駆動し、エンジン３からの排熱を高温の湯として回収して貯湯タンク２５に貯める。
【００３３】
第１の温度センサ２８によって貯湯タンク２５内の熱量が貯湯可能最大熱量に達したことを感知すると、熱量判別手段４２からの貯湯信号の出力が停止される。
この貯湯信号が出力されないことを判別して、熱量判別手段４２から発電制御手段４５に信号が出力される。これに応答して、総運転時間選択手段４４により選択された総運転時間の少ない発電機能付きエンジン駆動式ヒートポンプ装置１または２に起動信号を出力し、そのエンジン３および発電機６を駆動する。
【００３４】
前述した電力量比較手段４０からデマンド信号が出力されたときに、貯湯タンク２５内の熱量が貯湯可能最大熱量に達している場合には、熱量判別手段４２から貯湯信号が出力されず、熱量判別手段４２から発電制御手段４５に信号が出力される。これに応答して、総運転時間選択手段４４により選択された総運転時間の少ない発電機能付きエンジン駆動式ヒートポンプ装置１または２に起動信号を出力し、そのエンジン３および発電機６を駆動する。
【００３５】
上記構成により、空調運転要求が無いときに、予測受電電力量が増加して設定電力量を超えると判断した場合に、貯湯タンク２５を接続した発電機能付きエンジン駆動式ヒートポンプ装置２を優先して駆動し、エンジン３の排熱を回収し、熱エネルギーの損失を低減しながら受電電力量の増加を抑制できるようになっている。
【００３６】
上述実施例のエンジン３としては、汎用のガスエンジンやディーゼルエンジンやガソリンエンジンなど各種のエンジンを用いることができる。
【００３７】
上記実施例では、５台の発電機能付きエンジン駆動式ヒートポンプ装置１，２のうちの１台に貯湯タンク２５を接続して発電・空調システムを構成しているが、本発明としては、２台以上、すなわち、複数台の発電機能付きエンジン駆動式ヒートポンプ装置を備え、そのうちの少なくとも１台に貯湯タンク２５を接続して発電・空調システムを構成するものであれば良い。
【００３８】
請求項１に係る発明の場合、複数台の発電機能付きエンジン駆動式ヒートポンプ装置に個別に貯湯タンク２５を接続して発電・空調システムを構成する場合で、複数台の貯湯タンク２５において、そのいずれかの熱量が貯湯可能最大熱量に達していないような場合に、その熱量が貯湯可能最大熱量に達していない発電機能付きエンジン駆動式ヒートポンプ装置のエンジン３および発電機６を優先駆動するような場合をも含む。
【００３９】
また、本発明としては、複数台の発電機能付きエンジン駆動式ヒートポンプ装置に個別に貯湯タンク２５を接続して発電・空調システムを構成する場合で、複数台の貯湯タンク２５のいずれもにおいて、その熱量が貯湯可能最大熱量に達していないような場合とか、あるいは、１台の貯湯タンク２５に複数台の発電機能付きエンジン駆動式ヒートポンプ装置を接続しているような場合で、貯湯タンク２５内の熱量が貯湯可能最大熱量に達していないような場合には、その時点で、貯湯タンク２５を接続した発電機能付きエンジン駆動式ヒートポンプ装置２どうしのうちで総運転時間の少ないものを選択して起動信号を出力し、そのエンジン３および発電機６を駆動するように構成しても良い。
【００４０】
また、上記実施例では、貯湯タンク２５内に湯を温度成層状態で貯めるように構成しているが、例えば、本発明としては、貯湯タンク２５内に熱交換器２４からの湯を循環供給するように構成し、貯湯タンク２５の上下方向に所定間隔を隔てて複数の温度センサを設け、それらの複数の計測湯温の平均値と貯湯タンク２５の容量などから貯湯タンク２５の熱量を求め、一方、設定熱量として下限設定値未満になったときに貯湯を開始し、上限設定値になったときに貯湯を停止するように構成するものでも良い。このように構成するものの場合は、上限設定値の熱量が貯湯可能最大熱量に相当する。
【図面の簡単な説明】
【００４１】
【図１】本発明に係る発電・空調システムの実施例を示す概略構成図である。
【図２】発電機能付きエンジン駆動式ヒートポンプ装置の正面図である。
【図３】貯湯制御系を示すブロック図である。
【図４】発電制御系を示すブロック図である。
【符号の説明】
【００４２】
１…発電機能付きエンジン駆動式ヒートポンプ装置
２…貯湯タンクを接続した発電機能付きエンジン駆動式ヒートポンプ装置
３…エンジン
６…発電機
１０…圧縮機
１９…冷媒回路
２０…室内側熱交換器
２１…膨張弁
２４…熱交換器（排熱回収装置）
２５…貯湯タンク
２９…第２の温度センサ（最大熱量感知手段）
３４…受電電力計測手段
３８…受電電力量算出手段
３９…受電電力量予測手段
４０…電力量比較手段
４１…空調運転要求判別手段
４３…貯湯優先制御手段
４４…総運転時間選択手段
４５…発電制御手段
４６…総運転時間計測手段
【図１】
0004703417.tif 000002
【図２】
0004703417.tif 000003
【図３】
0004703417.tif 000004
【図４】
0004703417.tif 000005